(57)【要約】【課題】撮像素子表面に接触させて異物を確実に除去できる清掃器具を提供する。【解決手段】連結部１４は、本体部２０の中心線を中心とした対称形である第１連結部材１６および第２連結部材１８を含む。本体部２０と第１連結部材１６とは一体的に形成されている。矢印Ａの示すように清掃器具１０を移動させ、異物を付着させる平面部１２を撮像素子３２に接触させたときに本体部２０から加えられる力は、第１、第２連結部材１６、１８を介して均等に平面部１２に伝わる。一方、矢印Ｂの示すように清掃器具１０を移動させ、平面部１２を撮像素子３２から剥離させるときに本体部２０に加えられる力は、第１連結部材１６のみを介して平面部１２に伝わる。このため、平面部１２は、均等な力で撮像素子表面３２Ｓに対して押圧され、第１長辺１２Ｕ側の領域から第２長辺１２Ｄ側の領域にかけて徐々に撮像素子表面３２Ｓから剥離される。【選択図】図３
2007110204.tif 000002
【特許請求の範囲】
【請求項１】
撮像素子に入射する光の受光面上にある異物を取り除く清掃器具であって、
長手方向に延びる本体部と、
前記本体部の前記長手方向の一端側に設けられ、前記異物を付着可能な粘着性を有する平面部と、
前記本体部と前記平面部とを連結する連結部とを備え、
前記連結部が、前記本体部を操作することにより、前記異物を付着させるために前記受光面に接触させた前記平面部の第１の端部と前記第１の端部とは反対側の第２の端部とのいずれか一方を他方よりも先に前記受光面から剥離させるための差動機構であることを特徴とする清掃器具。
【請求項２】
前記平面部が、平板部と、前記平板部上に載置され、前記受光面に面接触可能な粘着シートとを有することを特徴とする請求項１に記載の清掃器具。
【請求項３】
前記平面部が矩形状であり、前記第１の端部と前記第２の端部とが、前記平面部の輪郭を形成する長辺であることを特徴とする請求項１に記載の清掃器具。
【請求項４】
前記平面部が、前記長手方向に垂直であることを特徴とする請求項１に記載の清掃器具。
【請求項５】
前記連結部が、前記本体部の前記平面部側の端部と前記第１の端部とに連結された第１の部材と、前記本体部の前記平面部側の端部に接し、前記第２の端部に連結された第２の部材とを含むことを特徴とする請求項１に記載の清掃器具。
【請求項６】
前記本体部と前記第１の部材とが、一体的に形成されていることを特徴とする請求項５に記載の清掃器具。
【請求項７】
前記本体部と前記連結部とが、一体的に形成されていることを特徴とする請求項６に記載の清掃器具。
【請求項８】
前記平面部を前記受光面に接触させたときに前記本体部から加えられる力が前記第１の部材と前記第２の部材とを介して前記平面部に伝わり、前記平面部を前記受光面から剥離させるために前記本体部から加えられる力が前記第１の部材のみを介して前記平面部に伝わることを特徴とする請求項５に記載の清掃器具。
【請求項９】
前記第１の部材と前記第２の部材とが、前記本体部を中心とした対称形であることを特徴とする請求項５に記載の清掃器具。
【請求項１０】
前記連結部が、前記本体部の前記平面部側の端部近傍において前記第１の部材に接し、なおかつ前記第２の部材に取付けられた第１リブを含むことを特徴とする請求項５に記載の清掃器具。
【請求項１１】
前記連結部が、前記平面部の裏面に取付けられた板状部材と、前記板状部材上にて前記第１の端部側から前記第２の端部側に向かって延び、前記第１の端部側よりも前記第２の端部側が厚い形状を有する第２リブを含むことを特徴とする請求項５に記載の清掃器具。
【請求項１２】
前記第２の部材において、前記第１の部材を前記本体部とともに移動させるための溝が形成されていることを特徴とする請求項５に記載の清掃器具。
【請求項１３】
前記連結部が、前記平面部の裏面に取付けられた板状部材と、前記第２の部材から前記板状部材に接するように延びる側壁とをさらに有し、前記第１の端部の近傍において、前記側壁と前記板状部材との間に隙間が設けられていることを特徴とする請求項５に記載の清掃器具。
【請求項１４】
前記連結部が、複数の前記第１の部材と、複数の前記第１の部材同士を連結させるリンク機構とを備えることを特徴とする請求項５に記載の清掃器具。
【請求項１５】
前記第１の部材が一対あり、前記リンク機構が、前記第２の部材に設けられた穴を通って一対の前記第１の部材同士を連結する軸部材を有し、前記平面部を前記受光面に接触させるときに前記軸部材が前記穴の前記平面部側の端部まで移動することにより、前記本体部から加えられた力が前記第１の部材と前記第２の部材とを介して前記平面部に伝わり、前記平面部を前記受光面から剥離させるときに前記軸部材が前記穴の前記本体部側に移動することにより、前記本体部から加えられた力が前記第１の部材のみを介して前記平面部に伝わることを特徴とする請求項１４に記載の清掃器具。
【請求項１６】
前記第１の部材が、前記平面部の両端に連結されていることを特徴とする請求項１４に記載の清掃器具。
【請求項１７】
前記第２の部材が一対あり、前記平面部の両端に連結されていることを特徴とする請求項１４に記載の清掃器具。
【発明の詳細な説明】
【技術分野】
【０００１】
本発明は、清掃器具に関し、特に、デジタルカメラの撮像素子に付着する異物を取り除く清掃器具に関する。
【背景技術】
【０００２】
近年、レンズ交換式のデジタルカメラが普及しつつある。レンズ交換式デジタルカメラにおいては、レンズ交換等により混入する埃などの異物が、内蔵された撮像素子の表面に付着する場合がある。そして、異物が撮像素子に付着することによる画質の低下を防ぐため、撮像素子表面から異物を取り除く装置が知られている。
【０００３】
このような装置のうち、粘着性のある部材を適度な接触圧で撮像素子の表面に接触させ、この粘着性部材に異物を付着させて撮像素子表面から除去するものが知られている（例えば特許文献１）。
【特許文献１】特開２００４−３２６０９５号公報（段落［００７４］〜［００８５］、図９〜１１等参照）
【発明の開示】
【発明が解決しようとする課題】
【０００４】
撮像素子の表面に清掃器具の粘着性部材を接触させ、異物を粘着部材に付着させて取り除く場合において、何らの工夫なしに清掃器具を撮像素子表面から剥離させると、粘着性部材に半ば付着した異物が最終的に撮像素子表面に残存してしまい、これを除去できないおそれがある。
【０００５】
本発明は、撮像素子表面に接触させて異物を確実に除去できる清掃器具を提供することを目的とする。
【課題を解決するための手段】
【０００６】
本発明の清掃器具は、撮像素子に入射する光の受光面上にある異物を取り除く清掃器具であって、長手方向に延びる本体部と、本体部の長手方向の一端側に設けられ、異物を付着可能な粘着性を有する平面部と、本体部と平面部とを連結する連結部とを備える。そして連結部は、本体部を操作することにより、異物を付着させるために受光面に接触させた平面部の第１の端部と第１の端部とは反対側の第２の端部とのいずれか一方を他方よりも先に受光面から剥離させるための差動機構である。
【０００７】
平面部は、平板部と、平板部上に載置され、受光面に面接触可能な粘着シートとを有することが好ましい。平面部は矩形状であり、第１の端部と第２の端部とが、平面部の輪郭を形成する長辺であることが好ましい。また、平面部は、長手方向に垂直であることが好ましい。
【０００８】
連結部は、本体部の平面部側の端部と第１の端部とに連結された第１の部材と、本体部の平面部側の端部に接し、第２の端部に連結された第２の部材とを含むことが好ましい。そしてこの場合、本体部と第１の部材とが、一体的に形成されていることがより好ましく、本体部と連結部とが、一体的に形成されていることがさらに好ましい。
【０００９】
また、平面部を受光面に接触させたときに本体部から加えられる力が第１の部材と第２の部材とを介して平面部に伝わり、平面部を受光面から剥離させるために本体部から加えられる力が第１の部材のみを介して平面部に伝わることが望ましい。
【００１０】
また本体部は、第１の部材と第２の部材とが、本体部を中心とした対称形であることが好ましく、また連結部は、本体部の平面部側の端部近傍において、第１の部材に接し、なおかつ第２の部材に取付けられた第１リブを含むことが好ましい。連結部は、平面部の裏面に取付けられた板状部材と、板状部材上にて第１の端部側から第２の端部側に向かって延び、第１の端部側よりも第２の端部側が厚い形状を有する第２リブとを含むことが好ましい。
【００１１】
第２の部材においては、第１の部材を本体部とともに移動させるための溝が形成されていることが望ましい。
【００１２】
連結部は、平面部の裏面に取付けられた板状部材と、第２の部材から板状部材に接するように延びる側壁とをさらに有し、第１の端部の近傍において、側壁と板状部材との間に隙間が設けられていることが望ましい。
【００１３】
連結部は、複数の第１の部材と、複数の第１の部材同士を連結させるリンク機構とを備えることが好ましい。
【００１４】
そして、第１の部材は一対あり、リンク機構が、第２の部材に設けられた穴を通って一対の第１の部材同士を連結する軸部材を有し、平面部を受光面に接触させるときに軸部材が穴の平面部側の端部まで移動することにより、本体部から加えられた力が第１の部材と第２の部材とを介して平面部に伝わり、平面部を受光面から剥離させるときに軸部材が穴の本体部側に移動することにより、本体部から加えられた力が第１の部材のみを介して平面部に伝わることが好ましい。
【００１５】
また、第１の部材は、粘着板の両端に連結されていることがより好ましく、第２の部材は一対あり、粘着板の両端に連結されていることがより好ましい。
【発明の効果】
【００１６】
本発明によれば、撮像素子表面に接触させて異物を確実に除去できる清掃器具を実現できる。
【発明を実施するための最良の形態】
【００１７】
以下、本発明の実施形態を、図面を参照して説明する。図１は、第１の実施形態における清掃器具を前方から見た斜視図である。図２は、本実施形態における清掃器具を後方から見た斜視図である。
【００１８】
清掃器具１０は、デジタルカメラの撮像素子（図示せず）に入射する光の受光面、すなわち、撮像素子、ローパスフィルタ、保護フィルタ等（いずれも図示せず）の受光面に付着した埃などの異物を除去し、撮像素子等を清掃するために使用される。清掃器具１０は、長手方向に延びる本体部２０、本体部２０の長手方向の一端側に設けられた矩形状の平面部１２、および本体部２０と平面部１２とを連結する連結部１４を含む。
【００１９】
平面部１２は、本体部２０の延びる長手方向に対して垂直である薄板状の平板部１３と、平板部１３上に載置され、異物を付着させるための粘着性を有する、粘着シート（図示せず）とを含む。ユーザは、本体部２０を保持して、清掃の対象である撮像素子の表面等に接近させ、粘着シートを撮像素子表面等に接触させる。そして、本体部２０を撮像素子から遠ざけることにより、粘着シートを撮像素子の表面から剥離させて異物を除去する。粘着シートは、清掃の対象となる受光面に面接触可能であり、度重なる使用の後に粘着性が低下すると平板部１３から剥がされ、新たな粘着シートが平板部１３上に貼付、使用される。
【００２０】
平板部１３は、例えば金属性であって、薄いゴム層等で形成される粘着シートよりも硬く、強度が高い。このため、平板部１３は、柔軟な粘着シートを撮像素子の受光面などの被清掃面に均一に接触させることを可能にする。さらに平板部１３は、後述するように、粘着シートの剥離時においては傾くものの、粘着シートの変形を防止して一度付着した異物が粘着シートから剥がれることが防止される。
【００２１】
本体部２０は、平面部１２の表面に対して垂直に延びており、本体部２０の幅２０Ｗは、平面部１２の輪郭を形成する第１および第２長辺１２Ｕ、１２Ｄの長さにほぼ等しく、本体部２０の厚さ２０Ｔは、平面部１２の短辺よりも大幅に短い。連結部１４は、第１連結部材１６（第１の部材）および第２連結部材１８（第２の部材）を含む。第１連結部材１６は、本体部２０の平面部１２側の端部２０Ｅと、平面部１２の上端側の第１長辺１２Ｕとを結び、第２連結部材１８は、本体部２０の端部２０Ｅと平面部１２の下端側の第２長辺１２Ｄとを結ぶ。
【００２２】
そして、第１および第２連結部材１６、１８の幅と厚さは、いずれも本体部２０の幅２０Ｗおよび厚さ２０Ｔと等しい。なお、本体部２０の端部２０Ｅとは反対側の端部近傍には、ユーザが容易に保持できるように凹凸が設けられている。なお、本体部２０はプラスチック製であって、適度な弾性を有する。
【００２３】
図示するように、本体部２０と第１連結部材１６とは一体的に形成されており、本体部２０の端部２０Ｅと第２連結部材１８の端部１８Ｅとの間には、第１連結部材１６の延びる方向に沿って切れ目が設けられている。そして、第１および第２連結部材１６、１８は、いずれも同じ“くの字型”の形状をする。
【００２４】
すなわち、第１および第２連結部材１６、１８は、本体部２０の端部２０Ｅ側においては、本体部２０に対して斜めの方向に延び、平面部１２側においては、本体部２０に平行、すなわち平面部１２に対して垂直な方向に延びる。そして第１および第２連結部材１６、１８は、本体部２０の中心を通り、本体部２０の長手方向に延びる平面を中心とした対称形である。
【００２５】
また、連結部１４には、本体部２０の端部２０Ｅ近傍に設けられた第１リブ２２が含まれる。第１リブ２２は、第２連結部材１８の内面１８Ｉから突出するように第２連結部材１８と一体的に形成されており、その一端が第１連結部材１６の内面１６Ｉに接する。第１リブ２２は、第１連結部材１６の内面１６Ｉと第２連結部材１８の内面１８Ｉとが接する領域の上端にある接線Ｌを通って、本体部２０の長手方向に延びる平面を中心とした対称形を有する。
【００２６】
さらに連結部１４には、第１連結部材１６と第２連結部材１８との間において、平面部１２の裏面を覆うように平面部１２に取付けられた板状部材２４が含まれる（図２参照）。板状部材２４の表面上には、第１連結部材１６から第２連結部材１８に向かって上下方向に延びる複数の第２リブ２６が設けられている。
【００２７】
第２リブ２６は、いずれも、平面部１２の第２長辺１２Ｄ側ほど厚い形状を有しており、第２長辺１２Ｄ側の端部は、第２連結部材１８の内面１８Ｉに接している。なお、第１および第２連結部材１６、１８と板状部材２４とは、いずれも一体的に形成されている。従って、本体部２０を構成する全ての部材と連結部１４とは、いずれも一体的に形成されている。
【００２８】
図３は、本実施形態における、デジタルカメラに取付けられた状態の清掃器具の側断面図である。
【００２９】
上述のように連結部１４が形成されていることから、ユーザが本体部２０を保持して、矢印Ａの示すように、デジタルカメラ３０の撮像素子３２の表面３２Ｓに垂直な方向に沿って清掃器具１０を近づけ、平面部１２を撮像素子３２に接触させたときに本体部２０から加えられる力は、第１および第２連結部材１６、１８を介して均等に平面部１２に伝わる。そして、平面部１２を撮像素子３２から剥離させるために、矢印Ｂの示すように、撮像素子表面３２Ｓに垂直な方向に清掃器具１０を遠ざけるときに本体部２０に加えられる力は、第１連結部材１６のみを介して平面部１２に伝わる。
【００３０】
すなわち、平面部１２を撮像素子表面３２Ｓに接触させたときに本体部２０から加えられ、平面部１２を撮像素子３２に対して押圧する押圧力は、第１および第２連結部材１６、１８が対称形であること、および、第１連結部材１６のみが本体部２０に直接連結されているものの、第１リブ２２が、第１および第２連結部材１６、１８の移動、変形を防止することから、第１および第２連結部材１６、１８に均等に分配される。このため、平面部１２は、その全ての領域において均等な力によって、撮像素子表面３２Ｓに対して押圧される。
【００３１】
さらに、粘着力によって撮像素子表面３２Ｓに粘着し、異物を付着させた状態の平面部１２を撮像素子表面３２Ｓから剥離させるために、平面部１２に垂直な方向に本体部２０に加えられた力は、第２連結部材１８が本体部２０に連結されておらず、第１リブ２２が第１連結部材１６に接しているのみであってこれに取付けられてはいないことから、第１連結部材１６のみを介して平面部１２に伝えられる。このため、平面部１２は、第１長辺１２Ｕ側の領域から第２長辺１２Ｄ側の領域にかけて徐々に撮像素子表面３２Ｓから引き離される。
【００３２】
ここで、上述の形状を有する第２リブ２６は、第２連結部材１８側、すなわち下側の領域ほど厚いことから、第１長辺１２Ｕ側の領域から順次、平面部１２が引き離されることに寄与する。従って、平面部１２の第２長辺１２Ｄ側の領域から優先的に、あるいは第１長辺１２Ｕ側の領域と第２長辺１２Ｄ側の領域とが同時に撮像素子表面３２Ｓから剥離されることは確実に防止され、平面部１２は、第１長辺１２Ｕに近い領域ほど優先的に、傾きながら撮像素子表面３２Ｓから剥離される。
【００３３】
この結果、平面部１２の全ての領域を同時に撮像素子表面３２Ｓから剥離させると、異物が撮像素子表面３２Ｓ側に取り残される可能性が高いのに対し、本実施形態では、平面部１２の第１長辺１２Ｕ側ほど先に剥離させる差動機構としての連結部１４を設けることにより、異物を確実に取り除くことができる。
【００３４】
このように、平面部１２の一端からその反対側の端部にかけて平面部１２を徐々に引き離して異物を除去する場合、平面部１２の後から剥離させる領域、すなわち本実施形態では第２長辺１２Ｄ側の領域ほど、特に効率的に異物を除去できる。そして一般に、人物や風景を被写体とした写真においては、上部には空があることが多く、変化の少ない淡色である晴天時の空にあっては、撮像素子表面３２Ｓ上の異物に起因した点状の汚れが目立ちやすい。
【００３５】
以上のことから、本実施形態では、第１連結部材１６の外面１６Ｏ上に、第１連結部材１６側を上にして清掃器具１０を使用するよう指示する表示（図示せず）がなされている。このため清掃器具１０は、撮像素子３２によって形成される被写体画像において、常に平面部１２の第２長辺１２Ｄに対応する領域が上側にあるように、すなわち、図１〜３に示すように、第２長辺１２Ｄ側を平面部１２の下側とするように使用される。
【００３６】
以上のように本実施形態によれば、平面部１２の全域を撮像素子表面３２Ｓに同時に接触させ、その一端から他端にかけて順次、剥離させることにより、撮像素子表面３２Ｓ上にある異物を確実に除去できる。また、平面部１２を徐々に撮像素子表面３２Ｓから剥離させるため、粘着力によって撮像素子表面３２Ｓに強く粘着されていた平面部１２であっても、小さい力を加えることによって容易に剥離させることができる。
【００３７】
なお、第１リブ２２は、第２連結部材１８と一体的に形成されておらず、第２連結部材１８に取付けられているだけであっても良い。
【００３８】
図４は、第２の実施形態における清掃器具１０の斜視図である。図５は、本実施形態における清掃器具１０の側面図である。
【００３９】
本実施形態における清掃器具１０の平面部１２および本体部２０は、一定の厚さを有する金属製の薄板によって形成されている。このため、本実施形態の本体部２０においては、第１の実施形態とのいくつかの相違点がある。以下、第１の実施形態との相違点を中心に説明する。
【００４０】
本実施形態では、第１および第２リブ２２、２６は設けられていない。これは、プラスチック製であった第１の実施形態の本体部２０は弾性を有するために、第１および第２リブ２２、２６によって本体部２０から加えられる力の分散を調整することが可能であったのに対し、金属製の薄板状である本体部２０においては、このような調整が不可能だからである。
【００４１】
第２連結部材１８の本体部２０側の平面である第１平面１８Ｂの両端には、第１平面１８Ｂに沿って延びる一対の延出部１８Ａが設けられており、この延出部１８Ａを配置させるため、第１連結部材１６の幅は、本体部２０の平面部１２側の端部２０Ｅ近傍において、本体部２０の幅２０Ｗよりも狭くなっている。そして、延出部１８Ａと、後述する側壁板２８とを除くと、第１および第２連結部材１６、１８は、いずれもほぼ同じ“くの字型”であって、本体部２０の中心線を中心としてほぼ対称形である。
【００４２】
このように本体部２０が形成されていることから、ユーザが本体部２０を保持して、矢印Ａの示すように、撮像素子等（図示せず）の被清掃面に垂直な方向に沿って清掃器具１０を移動させ、平面部１２を撮像素子に接触させたときに本体部２０から加えられる力は、第１および第２連結部材１６、１８を介して均等に平面部１２に伝わる。
【００４３】
連結部１４には、平面部１２の裏面に接する板状部材２４と、一対の側壁板２８（側壁）とが含まれている。側壁板２８は、第２連結部材１８の下側の平面である第２平面１８Ｃから第１連結部材１６に向かって、板状部材２４に接するように延びている。そして、側壁板２８と板状部材２４との間の隙間Ｓは、平面部１２の第２長辺１２Ｄ側ほど狭く、第２長辺１２Ｄ近傍ではほとんど設けられていないのに対し、第１長辺１２Ｕ側では広がっている。
【００４４】
また、延出部１８Ａにおいては、平面部１２を撮像素子から剥離させるときに、第１連結部材１６を本体部２０とともに移動させるための溝１８Ｌが形成されている。このように溝１８Ｌを形成することにより、矢印Ｂの示すように、清掃器具１０を撮像素子から遠ざけるときに本体部２０に加えられる力は、第１連結部材１６のみを介して平面部１２に伝わる。これは、第１連結部材１６が本体部２０と一体的であるのに対し、第２連結部材１８が本体部２０に直接連結されておらず、なおかつ第１連結部材１６が溝１８Ｌに沿って移動可能であるためである。
【００４５】
そしてさらに、上述の隙間Ｓを設けるように側壁板２８が配置されていることから、第２リブ２６の設けられていない本実施形態においても、平面部１２は、第１長辺１２Ｕに近い領域ほど優先的に、撮像素子表面３２Ｓから順次剥離され、平面部１２の第２長辺１２Ｄ側の領域が優先的に、あるいは第１長辺１２Ｕ側の領域と第２長辺１２Ｄ側の領域とが同時に撮像素子表面から離れることが防止される。
【００４６】
なお、上述の理由により、平面部１２の第２長辺１２Ｄ側を下側として清掃器具１０を使用することが好ましいものの、本実施形態においては、延出部１８Ａが設けられていることから、清掃器具１０の天地を示す表示は不要である。
【００４７】
また、連結部１４と本体部２０とが同じ厚さであることから、本実施形態の清掃器具１０は、一枚の金属性の薄板から製造することができる。すなわち、材料の金属板から、“Ｔ字型”の板材を切り出し、本体部２０と第１連結部材１６との間、第１連結部材１６と第２連結部材１８のそれぞれの中心部、および第２連結部材１８と一対の側壁板２８との間等を折り曲げることにより連結部１４と本体部２０は形成される。さらに、同一の金属板から平面部１２の平板部１３を切り出して本体部２０に取付け、粘着シートを平板部１３に貼付することにより、清掃器具１０は製造可能である。
【００４８】
以上のように本実施形態によれば、より簡易な製造方法により、撮像素子表面上の異物を確実に除去できる清掃器具１０を実現できる。
【００４９】
図６は、第３の実施形態における、平面部１２が押圧されていない状態の清掃器具の斜視図である。図７は、本実施形態における、平面部１２が押圧された状態の清掃器具の斜視図であり、図８は、本実施形態における、平面部１２が押圧された状態の清掃器具の側面図である。
【００５０】
本実施形態においては、第１および第２連結部材１６、１８は、それぞれ一対ずつ設けられており、いずれも平面部１２の左右の両端に連結されている。そして第２連結部材１８には、第２連結部材１８に沿って延びる穴３６が設けられており、本体部２０には、穴３６を通って一対の第１連結部材１６同士を連結する、平面部１２に平行な軸部材３４が含まれている。
【００５１】
平面部１２を撮像素子の表面に接触させるときには、軸部材３４が穴３６の粘着板側端部３６Ｅまで移動し、このため本体部２０から加えられた力は、第１および第２連結部材１６、１８を介して均等に平面部１２に伝わる（図７および８参照）。
【００５２】
そして、撮像素子表面に粘着した状態の平面部１２を撮像素子表面から剥離させるために、平面部１２に垂直な方向に本体部２０に力が加えられると、軸部材３４は、穴３６の粘着板側端部３６Ｅから保持部材側端部３６Ｆに向かって移動する。
【００５３】
ここで、本体部２０に加えられた力は、穴３６の保持部材側端部３６Ｆに向かって移動する軸部材３４によっては第２連結部材１８に伝達されず、第１連結部材１６のみを介して平面部１２に伝えられる。このため、平面部１２は、第１長辺１２Ｕ側の領域から第２長辺１２Ｄ側の領域にかけて順次、撮像素子表面から引き離される。
【００５４】
以上のように本実施形態によれば、２つの第１連結部材１６同士を連結させるリンク機構としての軸部材３４と、第２連結部材１８において軸部材３４の通る穴３６とを設け、第１および第２連結部材１６、１８への力の伝達を調整しつつ平面部１２を撮像素子表面に対して垂直な方向に接触、剥離させることにより、撮像素子表面３２Ｓ上にある異物を確実に除去できる。
【００５５】
なお、平面部１２、第１および第２連結部材１６、１８の形状等は、いずれの実施形態にも限定されず、撮像素子３２等に応じて調整することができる。例えば、平面部１２は、撮像素子表面３２Ｓの全面を覆う横長の矩形状であることが好ましいが、これには限定されない。
【図面の簡単な説明】
【００５６】
【図１】第１の実施形態における清掃器具を前方から見た斜視図である。
【図２】本実施形態における清掃器具を後方から見た斜視図である。
【図３】本実施形態における、デジタルカメラに取付けられた状態の清掃器具の側断面図である。
【図４】第２の実施形態における清掃器具の斜視図である。
【図５】本実施形態における清掃器具の側面図である。
【図６】第３の実施形態における、平面部が押圧されていない状態の清掃器具の斜視図である。
【図７】本実施形態における、平面部が押圧された状態の清掃器具の斜視図である。
【図８】本実施形態における、平面部が押圧された状態の清掃器具の側面図である。
【符号の説明】
【００５７】
１０  清掃器具
１２  平面部
１２Ｕ  第１長辺（第１の端部）
１２Ｄ  第２長辺（第２の端部）
１３  平板部
１４  連結部
１６  第１連結部材（第１の部材）
１８  第２連結部材（第２の部材）
１８Ｌ  溝
２０  本体部
２２  第１リブ
２４  板状部材
２６  第２リブ
２８  側壁板（側壁）
３６  穴
Ｓ  隙間
【図１】
2007110204.tif 000003
【図２】
2007110204.tif 000004
【図３】
2007110204.tif 000005
【図４】
2007110204.tif 000006
【図５】
2007110204.tif 000007
【図６】
2007110204.tif 000008
【図７】
2007110204.tif 000009
【図８】
2007110204.tif 000010